(57)【要約】      （修正有）【課題】マスクによって患者の顔面部の皮膚を吸い上げることにより、注射標的箇所を迅速に定位可能であり、且つ注射の過程中に、注射針のヘッドがマスクの内部に位置する定位用補助工具を提供する。【解決手段】第１の開口１１と、第１の開口１１の反対側に位置する第２の開口１２と、を有し、その周面１３には、エア抜き装置と連接するエア抜き穴１５が設けられているマスク１０と、第１の開口１１に配されており、第１の開口１１を密封可能であり、注射針を挿通可能な軟性部材２０と、を含み、エア抜き穴１５はマスク１０の内部と連通する。【選択図】図２
0003201152.tif 000002
【実用新案登録請求の範囲】
【請求項１】
第１の開口と、前記第１の開口の反対側に位置する第２の開口と、を有し、その周面には、エア抜き装置と連接するエア抜き穴が設けられているマスクと、
前記第１の開口に配されており、前記第１の開口を密封可能であり、注射針を挿通可能な軟性部材と、を含み、
前記エア抜き穴は、前記マスクの内部と連通することを特徴とする、
定位用補助工具。
【請求項２】
前記第１の開口の外周面にリング部が設けられており、前記軟性部材は、被り部と、前記被り部の中心に設けられている凸部と、を有し、前記凸部の直径は前記第１の開口の内径に合い、前記被り部は前記リング部の一側に当接可能であることを特徴とする、請求項１に記載の定位用補助工具。
【請求項３】
前記マスクは透明な材料で作製されることを特徴とする、請求項１に記載の定位用補助工具。
【請求項４】
前記マスクの周面には、透明な窓部が設けられていることを特徴とする、請求項１に記載の定位用補助工具。
【請求項５】
前記窓部は凸レンズであることを特徴とする、請求項４に記載の定位用補助工具。
【考案の詳細な説明】
【技術分野】
【０００１】
本考案は、定位用補助工具に関し、特に、注射針によって注射する過程中に、患者の顔面部の皮膚に直接接触することを回避可能な定位用補助工具に関するものである。
【背景技術】
【０００２】
美容手術を行っているときには、患者の顔面部の皮膚に美容栄養液などを注射することが必要であるが、注射針のヘッドが極めて微細なため、操作者は、指で患者の顔面部の皮膚をしっかり摘んで、注射標的箇所を定位して注射を行うことが必要である。
【０００３】
しかし、上記の注射方式は、注射標的箇所を定位して注射針によって注射を行うときに、患者の顔面部の皮膚に直接に接触することが必要なため、感染の虞がある。
【考案の概要】
【考案が解決しようとする課題】
【０００４】
本考案の目的は、マスクによって患者の顔面部の皮膚を吸い上げることにより、注射標的箇所を迅速に定位可能であり、且つ注射の過程中に、注射針のヘッドがマスクの内部に位置する定位用補助工具を提供することにある。
【課題を解決するための手段】
【０００５】
本考案の定位用補助工具は、第１の開口と、前記第１の開口の反対側に位置する第２の開口と、を有し、その周面には、エア抜き装置と連接するエア抜き穴が設けられているマスクと、前記第１の開口に配されており、前記第１の開口を密封可能であり、注射針を挿通可能な軟性部材と、を含み、前記エア抜き穴は、前記マスクの内部と連通することを特徴とする。
【０００６】
本考案の定位用補助工具は、前記第１の開口の外周面にリング部が設けられており、前記軟性部材は、被り部と、前記被り部の中心に設けられている凸部と、を有し、前記凸部の直径は前記第１の開口の内径に合い、前記被り部は前記リング部の一側に当接可能であることを特徴とする。
【０００７】
本考案の定位用補助工具は、前記マスクは透明な材料で作製されることを特徴とする。
【０００８】
本考案の定位用補助工具は、前記マスクの周面には、透明な窓部が設けられていることを特徴とする。
【０００９】
本考案の定位用補助工具は、前記窓部は凸レンズであることを特徴とする。
【考案の効果】
【００１０】
本考案の定位用補助工具によれば、次のような効果がある。
（１）マスク及びエア抜き装置により、患者の顔面部の皮膚が吸い上げられて、注射標的箇所を迅速に定位可能である。注射標的箇所を定位した後、注射針を、軟性部材を挿通してマスクの内部に差し込んで、注射標的箇所に注射可能である。
【００１１】
（２）注射の過程中に、注射針のヘッドがマスクの内部に位置するため、注射標的箇所を定位して注射針によって注射を行うときに、操作者は患者の顔面部の皮膚に直接接触する必要がないため、感染の可能性を有効に減少可能である。
【図面の簡単な説明】
【００１２】
【図１】本考案の一実施形態を示す外観図である。
【図２】本考案の一実施形態に係る軟性部材がマスクから取外された状態を示す斜視図である。
【図３】本考案の一実施形態の使用状態を示す断面図１であって、マスクのエア抜きにより、患者の顔面部の皮膚が吸い上げられる状態を示す。
【図４】本考案の一実施形態の使用状態を示す断面図２であって、注射針がマスクの内部に差し込んで、注射標的箇所に注射することを示す。
【図５】本考案の一実施形態の使用状態を示す断面図３であって、外部の空気がマスクの内部に流れ込んで、患者の顔面部の皮膚が本来の状態に回復することを示す。
【図６】本考案の別の実施形態を示す斜視図である。
【考案を実施するための形態】
【００１３】
以下、本考案の実施の形態を図面に基づいて説明する。
【００１４】
以下、本考案の実施形態を図面に基づいて説明する。本考案の実施形態の図面における各部材の寸法比率は、説明を容易に理解するために示され、実際の比率通りではない。
【００１５】
図１から図３を参照する。図１は本考案の一実施形態を示す外観図であり、図２は本考案の一実施形態に係る軟性部材がマスクから取外された状態を示す斜視図であり、図３は、本考案の一実施形態の使用状態を示す断面図１であって、マスクのエア抜きにより、患者の顔面部の皮膚が吸い上げられる状態を示す。本実施形態に係る定位用補助工具１００は、マスク１０と、軟性部材２０と、を含む。
【００１６】
マスク１０は、透明な材料で作製され、第１の開口１１と、第１の開口１１の反対側に位置する第２の開口１２と、第１の開口１１と第２の開口１２との間に設けられている周面１３と、を有する。周面１３は円弧状を呈する。本実施形態では、第１の開口１１の内径が第２の開口１２の内径より小さく、第１の開口１１の外周面にリング部１４が設けられている。
【００１７】
周面１３には、マスク１０の内部と連通するエア抜き穴１５が設けられている。エア抜き穴１５は、図３に示すように、エア抜き装置２００と連接可能である。
【００１８】
軟性部材２０は、第１の開口１１に配されており、被り部２１と、被り部２１の中心に設けられている凸部２２と、を有する。凸部２２の直径が第１の開口１１の内径に合うため、凸部２２が第１の開口１１と嵌合可能である。被り部２１は、図３に示すように、リング部１４の一側に当接可能である。これにより、軟性部材２０は第１の開口１１を密封可能である。軟性部材２０はゴムで作製される。注射針３０は、軟性部材２０を挿通して、マスク１０の内部に挿し込み可能である。
【００１９】
図３から図５を参照する。図４は、本考案の一実施形態の使用状態を示す断面図２であって、注射針がマスクの内部に差し込んで、注射標的箇所に注射することを示し、図５は、本考案の一実施形態の使用状態を示す断面図３であって、外部の空気がマスクの内部に流れ込んで、患者の顔面部の皮膚が本来の状態に回復することを示す。
本実施形態に係る定位用補助工具１００を利用したい場合には、まず、患者の注射標的箇所５０である顔面部皮膚４０にマスク１０を置いて、エア抜き装置２００をエア抜き穴１５に接続した後、エア抜き装置２００を起動してエアを抜くと、マスク１０の内部が真空状態になり、図３に示すように、注射標的箇所５０である顔面部皮膚４０が吸い上げられて、注射標的箇所５０を迅速に定位可能である。
【００２０】
この後、図４に示すように、注射針３０を、軟性部材２０に挿通して、マスク１０の内部に差し込んで、注射標的箇所５０に注射を行う。このとき、マスク１０が透明であるため、操作者は注射の状況を把握可能である。
注射を完了した後、軟性部材２０から注射針３０を引き抜いて、エア抜き装置２００によるエア抜きを停止して、エア抜き穴１５からエア抜き装置２００を分離すると、外部の空気がマスク１０の内部に流れ込む。これにより、図５に示すように、顔面部皮膚４０が本来の状態に回復し、美容手術の注射プロセスが完了する。
【００２１】
マスク１０にエア抜き装置２００を接続することにより、患者の顔面部皮膚４０を吸い上げると、注射標的箇所５０を迅速に定位可能である。一方、注射の過程中に、注射針のヘッドがマスクの内部に位置するため、注射標的箇所を定位して注射針によって注射を行うときに、操作者は患者の顔面部の皮膚に直接接触する必要がないため、感染の可能性を有効に減少可能である。
【００２２】
図６を参照する。図６は本考案の別の実施形態を示す斜視図である。本実施形態の上記の実施形態と相違する点は、マスク１０が透明ではなく、マスク１０の周面１３に透明な窓部１６が設けられており、窓部１６により、操作者が注射針３０の注射の状況を把握可能であることにある。本実施形態では、窓部１６がレンズまたは凸レンズである。窓部１６が凸レンズである場合には、窓部１６が拡大効果を有するため、検視及び操作がもっと容易となる。
【００２３】
なお、本考案は上記の実施形態に限定されるものではなく、本考案の趣旨に基づいて種々変形させることが可能であり、それらを本考案の実用新案登録請求の範囲から排除するものではない。
【符号の説明】
【００２４】
１０    マスク
１１    第１の開口
１２    第２の開口
１３    周面
１４    リング部
１５    エア抜き穴
１６    窓部
２０    軟性部材
２１    被り部
２２    凸部
３０    注射針
４０    顔面部皮膚
５０    注射標的箇所
１００  定位用補助工具
２００  エア抜き装置
【図１】
0003201152.tif 000003
【図２】
0003201152.tif 000004
【図３】
0003201152.tif 000005
【図４】
0003201152.tif 000006
【図５】
0003201152.tif 000007
【図６】
0003201152.tif 000008